(57)【要約】【課題】  簡易でより確実に潜像の読取りが可能な印刷物の読取検査方法及びその装置、並びに印刷物の読取検査用ソフトウェアを提供する。【解決手段】  印刷物が有する潜像を撮影して画像データを取得し、得られた画像データに対して、一方向への平滑化処理、エッジを抽出する処理、他方向への平滑化処理を行って画像表示を行うことにより、潜像の読取りが可能な印刷物の読取検査方法及びその装置、並びに印刷物の読取検査用ソフトウェアである。【選択図】図１
2019213107.tif 000002
【特許請求の範囲】
【請求項１】
印刷物の読取検査方法において、
前記印刷物が有する潜像が含まれる領域を撮影して画像データを取得するステップと、
前記画像データに対し、一方向への平滑化処理を行うステップと、
前記一方向への平滑化処理が行われた前記画像データに対し、エッジを抽出する処理を行うステップと、
前記エッジを抽出する処理が行われた前記画像データに対し、前記一方向と異なる他方向への平滑化処理を行うステップと、
前記他方向への平滑化処理が行われた前記画像データを用いて画像表示を行うステップと、
を備える印刷物の読取検査方法。
【請求項２】
前記潜像が含まれる領域を撮影して取得した前記画像データに対し、９０度回転させた回転画像データを生成するステップをさらに備え、
前記一方向への平滑化処理、前記エッジを抽出する処理、前記他方向への平滑化処理を行うそれぞれのステップでは、前記潜像が含まれる領域を撮影して取得した前記画像データと前記回転画像データに対してそれぞれ並行して行い、前記画像表示を行うステップでは、２種類の画像表示を行うことを特徴とする請求項１に記載の印刷物の読取検査方法。
【請求項３】
前記潜像が含まれる領域を撮影して取得した前記画像データは、カラーの画像データであり、
カラーの前記画像データを白黒の画像データに変換するステップをさらに備え、
前記一方向への平滑化処理を行うステップでは、白黒の前記画像データに対して行い、
前記他方向への平滑化処理が行われた前記画像データに対し、明度補正処理を行うステップをさらに備え、
前記画像表示を行うステップでは、前記明度補正処理が行われた前記画像データを用いることを特徴とする請求項１又は２に記載の印刷物の読取検査方法。
【請求項４】
前記印刷物が、前記一方向又は前記他方向に沿って画線又は網点が配列された位相変調型の潜像を有し、
前記エッジを抽出する処理では、前記画線又は網点の輪郭を強調することにより位相変調点を抽出することを特徴とする請求項１から３までのいずれか一項に記載の印刷物の読取検査方法。
【請求項５】
前記印刷物が、少なくとも１本の直線又は曲線状の画線模様において、潜像以外の画像を形成する領域の画線は実線で構成され、潜像を形成する領域の画線は少なくとも２本に分岐した画線で構成され、
前記エッジを抽出する処理では、前記画線の輪郭を強調することで前記エッジを抽出することを特徴とする請求項１から３までのいずれか一項に記載の印刷物の読取検査方法。
【請求項６】
前記印刷物が、一方向に沿って配列され盛り上がりを有する複数の画線と、前記一方向と異なる他方向に沿って配列され盛り上がりを有する複数の画線とを備え、印刷物を傾けて観察すると視認される画線と視認されない画線とが生じて潜像が観察され、
前記エッジを抽出する処理では、前記画線の輪郭を強調することで前記エッジを抽出することを特徴とする請求項１から３までのいずれか一項に記載の印刷物の読取検査方法。
【請求項７】
印刷物の読取検査装置において、
前記印刷物が有する潜像が含まれる領域を撮影して画像データを取得する画像撮影部と、
前記画像データに対し、一方向への平滑化処理を行い、前記一方向への平滑化処理が行われた前記画像データに対し、エッジを抽出する処理を行い、前記エッジを抽出する処理が行われた前記画像データに対し、前記一方向と異なる他方向への平滑化処理を行う画像処理部と、
前記他方向への平滑化処理が行われた前記画像データを用いて画像表示を行う画像表示部と、
少なくとも、前記画像撮影部が印刷物を撮影して取得した前記画像データと、前記画像処理部が前記他方向への平滑化処理を行った前記画像データとを格納するデータ格納部と、
を備えることを特徴とする印刷物の読取検査装置。
【請求項８】
前記画像処理部は、前記画像撮影部が取得した前記画像データに対し、９０度回転させた回転画像データを生成し、前記一方向への平滑化処理、前記エッジを抽出する処理、前記他方向への平滑化処理を行う際には、前記画像処理部が取得した前記画像データと前記回転画像データとに対してそれぞれ並行して行い、
前記画像表示部は、２種類の画像表示を行うことを特徴とする請求項７に記載の印刷物の読取検査装置。
【請求項９】
前記画像撮影部は、カラーの画像データを取得し、
前記画像処理部は、カラーの前記画像データを白黒の画像データに変換し、前記一方向への平滑化処理は、白黒の前記画像データに対して行い、前記他方向への平滑化処理が行われた前記画像データに対し、明度補正処理を行い、
前記画像表示部は、前記明度補正処理が行われた前記画像データを用いることを特徴とする請求項７又は８に記載の印刷物の読取検査装置。
【請求項１０】
前記印刷物が、前記一方向又は前記他方向に沿って画線又は網点が配列された位相変調型の潜像を有し、
前記画像処理部が前記エッジを抽出する処理では、前記画線又は網点の輪郭を強調することにより位相変調点を抽出することを特徴とする請求項７から９までのいずれか一項に記載の印刷物の読取検査装置。
【請求項１１】
前記印刷物が、少なくとも１本の直線又は曲線状の画線模様において、潜像以外の画像を形成する領域の画線は実線で構成され、潜像を形成する領域の画線は少なくとも２本に分岐した画線で構成され、
前記画像処理部が前記エッジを抽出する処理では、前記画線の輪郭を強調することで前記エッジを抽出することを特徴とする請求項７から９までのいずれか一項に記載の印刷物の読取検査装置。
【請求項１２】
前記印刷物が、一方向に沿って配列され盛り上がりを有する複数の画線と、前記一方向と異なる他方向に沿って配列され盛り上がりを有する複数の画線とを備え、印刷物を傾けて観察すると視認される画線と視認されない画線とが生じて潜像が観察され、
前記画像処理部が前記エッジを抽出する処理では、前記画線の輪郭を強調することで前記エッジを抽出することを特徴とする請求項７から９までのいずれか一項に記載の印刷物の読取検査装置。
【請求項１３】
印刷物の読取検査方法を、画像撮影部、画像処理部、画像表示部及びデータ格納部を備える印刷物の読取検査装置に実行させるための印刷物の読取検査用ソフトウェアにおいて、
前記画像撮影部によって、前記印刷物が有する潜像が含まれる領域を撮影して画像データを取得するステップと、
前記画像処理部によって、前記画像データに対し、一方向への平滑化処理を行うステップと、
前記画像処理部によって、前記一方向への平滑化処理が行われた前記画像データに対し、エッジを抽出する処理を行うステップと、
前記画像処理部によって、前記エッジを抽出する処理が行われた前記画像データに対し、前記一方向と異なる他方向への平滑化処理を行うステップと、
前記画像表示部によって、前記他方向への平滑化処理が行われた前記画像データを用いて画像表示を行うステップと、
前記データ格納部によって、少なくとも、前記画像撮影部が印刷物を撮影して取得した前記画像データと、前記画像処理部が前記他方向への平滑化処理を行った前記画像データとを格納するステップと、
を備えることを特徴とする印刷物の読取検査用ソフトウェア。
【請求項１４】
前記画像処理部は、前記画像撮影部が取得した前記画像データに対し、９０度回転させた回転画像データを生成し、前記一方向への平滑化処理、前記エッジを抽出する処理、前記他方向への平滑化処理を行う際には、前記画像処理部が取得した前記画像データと前記回転画像データとに対してそれぞれ並行して行い、
前記画像表示部は、２種類の画像表示を行うことを特徴とする請求項１３に記載の印刷物の読取検査用ソフトウェア。
【請求項１５】
前記画像撮影部は、カラーの画像データを取得し、
前記画像処理部は、カラーの前記画像データを白黒の画像データに変換し、前記一方向への平滑化処理は、白黒の前記画像データに対して行い、前記他方向への平滑化処理が行われた前記画像データに対し、明度補正処理を行い、
前記画像表示部は、前記明度補正処理が行われた前記画像データを用いることを特徴とする請求項１３又は１４に記載の印刷物の読取検査用ソフトウェア。
【請求項１６】
前記印刷物が、前記一方向又は前記他方向に沿って画線又は網点が配列された位相変調型の潜像を有し、
前記画像処理部が前記エッジを抽出する処理では、前記画線又は網点の輪郭を強調することにより位相変調点を抽出することを特徴とする請求項１３から１５までのいずれか一項に記載の印刷物の読取検査用ソフトウェア。
【請求項１７】
前記印刷物が、少なくとも１本の直線又は曲線状の画線模様において、潜像以外の画像を形成する領域の画線は実線で構成され、潜像を形成する領域の画線は少なくとも２本に分岐した画線で構成され、
前記画像処理部が前記エッジを抽出する処理では、前記画線の輪郭を強調することで前記エッジを抽出することを特徴とする請求項１３から１５までのいずれか一項に記載の印刷物の読取検査用ソフトウェア。
【請求項１８】
前記印刷物が、一方向に沿って配列され盛り上がりを有する複数の画線と、前記一方向と異なる他方向に沿って配列され盛り上がりを有する複数の画線とを備え、印刷物を傾けて観察すると視認される画線と視認されない画線とが生じて潜像が観察され、
前記画像処理部が前記エッジを抽出する処理では、前記画線の輪郭を強調することで前記エッジを抽出することを特徴とする請求項１３から１５までのいずれか一項に記載の印刷物の読取検査用ソフトウェア。
【発明の詳細な説明】
【技術分野】
【０００１】
本発明は、印刷物の読取検査方法及びその装置、並びに印刷物の読取検査用ソフトウェアに関する。
【背景技術】
【０００２】
近年、我が国では、特殊詐欺やそれらを助長する不正な預金口座の開設といった、なりすましによる犯罪被害額が過去最高水準を示し、国民の安心・安全な生活が脅かされている。この課題を解決するため、犯罪収益移転防止法の改正による特定の民間取引での本人確認の厳格化が進められており、また、公的個人認証サービス（ＪＰＫＩ）に代表されるオンライン上での個人認証基盤を活用したサービスの普及促進がなされることで、対面・非対面を問わない確実な本人確認が可能となり、なりすまし被害が低減することが期待されている。
【０００３】
しかしながら、なりすまし行為を働く者は、あまたに存在する本人確認プロセスの中からぜい弱性を見いだして攻撃を仕掛け続けるため、予断が許されない状況であることには変わりはない。特に、電子署名を用いない非対面取引では、本人確認書類の原本ではなく写しや撮影画像が用いられるため、偽変造品であるか否かの判別精度が低下し、高い危険性を有することが指摘されている。 
【０００４】
本人確認書類とは、公的機関から発行された免許証等を指し、それらの有する公証力や帰属性をよりどころとして、申請者の実在性（架空の人物でないこと）と同一性（他人のなりすましでないこと）を確認する資料である。帰属性は、一概に、本人確認書類上に顔写真を有するものが高いとされており、偽変造への抵抗力については、よりどころとなっていない。その上、偽変造に対し十分な対策がなされた本人確認書類であっても、それらの写しや撮影画像においては偽変造対策機能が消失してしまうために、本人確認書類自体の真正性は保証が困難な状況となっている。
【０００５】
偽変造対策技術として、本願の出願人は、例えば、第１の方向に沿って、中心を境に対向するように配置された第１の画線及び第２の画線と、第１の方向と直交する第２の方向に沿って、中心を境に対向するように配置された第３の画線及び第４の画線とを有する画線要素が、一定のピッチで複数マトリクス状に配置されており、各々の画線要素における第１の画線と第２の画線、第３の画線と第４の画線は、ネガポジの関係にあり、第１の画線又は第２の画線により第１の不可視画像が形成され、第３の画線又は第４の画線により第２の不可視画像が形成されることを特徴とする偽造防止用印刷物を出願している（例えば、特許文献１参照）。
【０００６】
さらに、本出願人は、他に、直線又は曲線状の１本又は複数の直線又は曲線からなる画線模様を、潜像を施さない部分の画線は実線で、潜像を施した部分の画線は基本線方向を基準として等距離により複数に分岐し、複数に分岐した画線がそれぞれ一定の間隔で配列された形状の画線から成る定周期断絶線で構成した印刷物において、潜像を施した部分の画線は基本線方向に複数に分岐した画線部と非画線部から成る一周期に相当する部分の画線面積の総和が、潜像を施さない部分の実線のうち、潜像部における画線部と非画線部から成る一周期と同一の長さに相当する部分の画線面積と等しくすることにより、複写すると非視認性となり、複写前に視認される画像を構成する画線は、潜像部における画線部と非画線部から成る一周期と同一の長さに相当する部分の画線面積より大きくするといった印刷物を出願している（例えば、特許文献２参照）。
【０００７】
また、偽変造対策技術の読取検査を行う方法として、本出願人は、複写防止模様を光学式画像入力装置で画像として入力し、入力して得た画像信号を２値化し、２値化した画像の収縮により、入力画像上の潜像を施した部分の画線が対応する画素群の除去を図る画像処理部と、画像処理部で得られた潜像を施さない部分の画線に対応した位置に残存する２値画像形状を認識、又は比較、照合することにより真偽を判定する画像判定部と、画像判定部で判定された結果を表示する表示部よりなる読取検査方法及び装置を出願している（例えば、特許文献３参照）。
【０００８】
ただ、これらの読取検査に際しては様々な課題が存在し、読取精度の向上や高画質な画像抽出が求められている。それらの課題を解決するための画像処理技術は多数出願されており、例えば、入力した画像の特徴を識別し、この識別結果に応じて画像の特徴量を算出し、算出した特徴量によって入力した画像信号に適応的に空間フィルタ処理を行うようにし、更には入力した原稿に白地上文字画像や網点画像や銀塩写真等の連続階調画像が混在していても、各画像に最適となるように特徴量であるエッジ量を算出してエッジ強調の強さを変更することにより、入力した画像と違和感のない高画質な画像を形成することができる技術が開示されている（例えば、特許文献４参照）。
【先行技術文献】
【特許文献】
【０００９】
【特許文献１】特許第４６３５１６０号公報
【特許文献２】特許第３６８９７８６号公報
【特許文献３】特許第３３７６４０６号公報
【特許文献４】特許第３９４６４１０号公報
【発明の概要】
【発明が解決しようとする課題】
【００１０】
しかしながら、引用文献１及び２に挙げたような偽変造対策技術に対しては、判別具を適切に用いて人間の目で確認したり、観察角度を適切な角度に変えて人間の目で確認したり、複写したり、それぞれの観察条件が求められており、更に視認性の良否に個人差が生じる可能性があり、視認条件に課題が残されていた。
【００１１】
さらに、偽変造対策技術を本人確認書類に利用した場合、潜像に対して対面又は非対面を問わず、簡易でより確実に潜像が読み取れることが求められていた。
【００１２】
本発明は上述した事情に鑑み、簡易でより確実な潜像の読取りが可能な印刷物の読取検査方法及びその装置並びに印刷物の読取検査用ソフトウェアを提供することを目的とする。
【課題を解決するための手段】
【００１３】
本発明の印刷物の読取検査方法は、前記印刷物が有する潜像が含まれる領域を撮影して画像データを取得するステップと、前記画像データに対し、一方向への平滑化処理を行うステップと、前記一方向への平滑化処理が行われた前記画像データに対し、エッジを抽出する処理を行うステップと、前記エッジを抽出する処理が行われた前記画像データに対し、前記一方向と異なる他方向への平滑化処理を行うステップと、前記他方向への平滑化処理が行われた前記画像データを用いて画像表示を行うステップとを備えることを特徴とする。
【００１４】
本発明の印刷物の読取検査装置は、前記印刷物が有する潜像が含まれる領域を撮影して画像データを取得する画像撮影部と、前記画像データに対し、一方向への平滑化処理を行い、前記一方向への平滑化処理が行われた前記画像データに対し、エッジを抽出する処理を行い、前記エッジを抽出する処理が行われた前記画像データに対し、前記一方向と異なる他方向への平滑化処理を行う画像処理部と、前記他方向への平滑化処理が行われた前記画像データを用いて画像表示を行う画像表示部と、少なくとも、前記画像撮影部が印刷物を撮影して取得した前記画像データと、前記画像処理部が前記他方向への平滑化処理を行った前記画像データとを格納するデータ格納部とを備えることを特徴とする。
【００１５】
本発明の印刷物の読取検査方法を、画像撮影部、画像処理部、画像表示部及びデータ格納部を備える印刷物の読取検査装置に実行させるための印刷物の読取検査用ソフトウェアは、前記画像撮影部によって、前記印刷物が有する潜像が含まれる領域を撮影して画像データを取得するステップと、前記画像処理部によって、前記画像データに対し、一方向への平滑化処理を行うステップと、前記画像処理部によって、前記一方向への平滑化処理が行われた前記画像データに対し、エッジを抽出する処理を行うステップと、前記画像処理部によって、前記エッジを抽出する処理が行われた前記画像データに対し、前記一方向と異なる他方向への平滑化処理を行うステップと、前記画像表示部によって、前記他方向への平滑化処理が行われた前記画像データを用いて画像表示を行うステップと、前記データ格納部によって、少なくとも、前記画像撮影部が印刷物を撮影して取得した前記画像データと、前記画像処理部が前記他方向への平滑化処理を行った前記画像データとを格納するステップとを備えることを特徴とする。
【発明の効果】
【００１６】
本発明の印刷物の読取検査方法及びその装置並びに印刷物の読取検査用ソフトウェアによれば、対面・非対面を問わず、簡易でより確実な潜像の読取りが可能である。
【図面の簡単な説明】
【００１７】
【図１】本発明の実施の形態による印刷物の読取検査装置の構成を示すブロック図。
【図２】同実施の形態による印刷物の読取検査方法の構成を示すフローチャート。
【図３】同印刷物の読取検査装置及び方法において、読取対象とする潜像の一例としての位相変調型の潜像を備える印刷物の一例を示す説明図。
【図４】位相変調型の潜像を備える印刷物上にレンチキュラーレンズを載置して読み取った潜像画像を示す説明図。
【図５】図３に示された印刷物に含まれる位相変調型の潜像に対し、エッジの抽出処理を行うことにより取得される情報を示した説明図。
【図６】図３に示された印刷物に対してｘ次元平滑化処理を行い、ｘ方向に沿って同位相を形成する画線同士を連結させた画像を示した説明図。
【図７】図６に示されたｘ次元平滑化処理が施された画像に対し、エッジ抽出処理を行った画像を示した説明図。
【図８】図７に示されたエッジ抽出処理が施された画像に対し、ｙ次元平滑化処理を行った画像を示した説明図。
【図９】図８に示されたｙ次元平滑化処理が施された画像に対し、明度補正を行った画像を示した説明図。
【図１０】図３に示されたような印刷物を肉眼で観察した場合に視認される状態を示した説明図、及び図９に示されたような一連の処理が施された画像を肉眼で観察した場合に視認される状態を示した説明図。
【発明を実施するための形態】
【００１８】
以下、本発明の実施の形態について図面を参照して説明する。なお、各実施の形態において、同一の構成要素には同一の符号を付して重複する説明は省略する。
【００１９】
本実施の形態による印刷物の読取検査装置は、図１に示されたように、画像撮影部１０、画像処理部２０、データ格納部３０、画像表示部４０を備えている。
【００２０】
画像撮影部１０はカメラを含み、印刷物上に形成された潜像が含まれる領域を撮影して画像データを生成し出力する。
【００２１】
画像処理部２０は、画像撮影部１０から出力された画像データを与えられ、後述する処理を行う。
【００２２】
データ格納部３０は、画像撮影部１０から出力された画像データ、画像処理部２０により処理された画像データを与えられて格納し、必要に応じて格納したデータを画像処理部２０に出力する。
【００２３】
画像表示部４０はモニタ用の画面を有し、画像処理部２０から出力されたデータを与えられて、潜像等の画像や、真偽判別結果等の処理結果を表示する。
【００２４】
本実施の形態による印刷物の読取検査方法は、上述した印刷物の読取検査装置を用いて潜像の読取検査を行うもので、図２に示されたように以下のステップを備えている。
【００２５】
ステップＳ１０において、画像撮影部１０に含まれるカメラを起動する。
【００２６】
ステップＳ１２において、画像撮影部１０のカメラにより、印刷物上に形成された潜像が含まれる領域を撮影し、画像データを取得する。画像撮影部１０から、画像データが出力される。
【００２７】
画像撮影部１０から出力された画像データを与えられた画像処理部２０は、以下のステップＳ１４、Ｓ１６、Ｓ１８、Ｓ２０、Ｓ２２及びＳ２４において、所定の画像処理を行う。
【００２８】
まず、ステップＳ１４において、画像撮影部１０により撮影され与えられた画像データを９０度回転する。
【００２９】
ステップＳ１６において、９０度回転していない元の画像（以下「非回転画像」という。）と、９０度回転された画像（以下「回転画像」という。）に対し、それぞれ例えば２４ビットのカラーの画像データを、例えば８ビットの白黒の画像データへカラー／白黒変換を行う。この処理は、以降の処理の負荷を低減するために行う。
【００３０】
ステップＳ１８において、８ビットの白黒の非回転画像及び回転画像を含む画像データに対して、一方向として例えばｘ方向に沿うｘ次元平滑化処理を行う。
【００３１】
ステップＳ２０において、ｘ次元平滑化処理が施された画像データにおいて、位相変調点を抽出する。
【００３２】
ステップＳ２２において、一方向と異なる他方向として、例えばｘ方向と直交するｙ方向に沿うｙ次元平滑化処理を行う。
【００３３】
ステップＳ２４において、ｙ次元平滑化処理が施された画像データに対して明度補正処理を行う。
【００３４】
ステップＳ２６において、明度補正処理が施された画像データが画像処理部２０から出力される。この画像データには、非回転画像と回転画像にそれぞれ処理を施した２種類の画像が含まれており、この画像データを与えられた画像表示部４０は、画像表示部４０に含まれるモニタ用の画面に２種類の画像を表示する。
【００３５】
ステップＳ２８において、画像処理部２０は読取検査対象の潜像を全て読み取ったか否かを判断する。まだ読み取っていない潜像が存在する場合は、上記ステップＳ１２に戻り、ステップＳ１２〜Ｓ２６の処理を同様に行う。全ての潜像を読み取った場合は、ステップＳ３０へ移行する。
【００３６】
ステップＳ３０において、カメラの動作を停止して読取検査処理を終了する。
【００３７】
ここで、本実施の形態で読み取ることが可能な潜像は、画線又は網点で構成され、画線又は網点の輪郭を強調することにより、変化点（エッジ）を抽出して情報を読み取ることが可能な画像が幅広く含まれる。
【００３８】
そのような潜像の一例として位相変調型の潜像について、図３を用いて説明する。
【００３９】
位相変調型の潜像は、図３に示されたように、一定周期で異なる位相で形成された直線状の画線により構成されている。このような潜像に対し、シート上に一定周期で凸状に微細半円筒型が配列されたレンチキュラーレンズ等の判別具を、潜像の周期と一致するように重ね合わせることで、図４に示されたように潜像画像としての潜像を発現させることができる。
【００４０】
しかしながら、カメラにより撮影されモニタ画面に表示された潜像に対してレンチキュラーレンズ等の判別具を載置することは現実的ではなく、また撮影された潜像の周期は一定ではないためレンチキュラーレンズの周期と一致せず読み取ることができない場合が多い。
【００４１】
本実施の形態による印刷物の読取検査方法及び装置によれば、撮影された印刷物に対し、それぞれ上記ステップＳ１４〜Ｓ２４におけるカラー（２４ビット）／白黒（８ビット）変換処理、ｘ次元平滑化処理、位相変調点抽出処理、ｙ次元平滑化処理、明度補正処理を行うことで、潜像を読み取ることが可能である。
【００４２】
位相変調型の潜像において、位相の変調点、すなわち位相が変わる位置は、画線が配列されている一方向において画線の連続性が途切れる位置、すなわち、画像中の明度の変化率が局所的に最大値となる位置（以下「エッジ」という。）である。図３に示された潜像では、図中横方向において画線の連続性が途切れて位相が変調する箇所がエッジに対応する。
【００４３】
このような潜像に対し、以下の（１）式で示されるように明度関数ｌ（ｘ）を一次微分することにより、エッジの位置の特定及び抽出を行って図５に示されるような画像を取得することができる。
【００４４】
【数１】
2019213107.tif 000003
【００４５】
ここで、Ｎは近傍であり、ｘ０は位相変調点の位置を示す。
【００４６】
しかしながら、小型デジタルカメラやスマートフォン等により撮影された画像には、多くのノイズが含まれている場合が多い。そこで、上述した一次微分によるエッジの抽出処理のみを行ったのでは、潜像の読取りが困難である場合が考えられる。
【００４７】
そこで、一次微分によるエッジ抽出処理の前後に、ノイズ低減を目的とした空間フィルタ処理を行う。
【００４８】
空間フィルタ処理には、様々な手法が存在する。本実施の形態による印刷物の読取検査方法及びその装置では、最終的な潜像の読取りやすさを考慮し、以下のような処理要件を設定した。
【００４９】
１）エッジ抽出処理の前に行う空間フィルタ処理は、この後のエッジ抽出処理により位相変調点以外の情報が抽出されることを抑制することにより、位相変調点のみを確実に抽出できるようにするものであること。
【００５０】
２）エッジ抽出処理の後に行う空間フィルタ処理は、この前に行ったエッジ抽出処理による抽出された情報において、エッジに関する情報に極力影響を及ぼすことなく、エッジ以外の不要な情報をできるだけ除去するものであること。
【００５１】
上記１）の処理要件を満たすためには、位相変調点以外に発生するエッジの除去が不可欠である。
【００５２】
ところで、図３に示されたような画線構成では、その構成上、同位相を形成する画線であっても連続する一直線ではなく、分断線の形態をとる。すなわち、同位相を形成する一方向に沿う一次元上においても、画線が分断する随所においてエッジが発生する構成となっている。
【００５３】
このため、同位相を形成する画線に対して、一方向に沿ってフィルタリングを行って画線の両端にぼけ足を伸張し、画線同士を連結させることによって不要なエッジを除去し、抽出したい位相変調点のみでエッジが発生するように処理することで、ノイズを抑制することができる。なお、このフィルタリングを行ってもｘ方向と直交するｙ方向の情報には変化は生じない。
【００５４】
ただし、画像撮影部１０により撮影されて取得された画像データには、画線が配列されている方向がｘ方向のみならずｙ方向である場合がある。このような場合に、一括してｘ方向に沿うｘ次元平滑処理を行うと、潜像を構成する画線に影響を与えて読取りが困難となる。そこで本実施の形態では、９０度回転した回転画像と非回転画像の２種類の画像に対し、並行して上記画像処理を行いモニタ用の画面に２種類の画像を表示することとしている。以下の説明では、ｘ方向に沿って画線が配列されている画像に処理を行うものとする。
【００５５】
図６に、ｘ次元平滑化処理を行い、ｘ方向に沿って同位相を形成する画線同士を連結させた画像を示す。
【００５６】
しかしながら、ｘ次元平滑化処理を行う際に、ｘ方向に沿って画線の両端に生じたぼけ足が伸長しすぎると、潜像構成領域への干渉が想定される。そこで、フィルタの重み付けを調整する必要がある。
【００５７】
重みの算出には、以下の数式（２）のように例えばガウシアン（Gaussian）関数を用い、カーネル（Kernel）幅（一次元ｘ ）及び重みの標準偏差σを調整要素とする。
【００５８】
【数２】
2019213107.tif 000004
【００５９】
ｘ次元平滑化処理後に、エッジ抽出処理を行う。上記数式（１）を用いてエッジの位置の特定及び抽出を行う。
【００６０】
あるいは、以下の数式（３）で示されたソーベルフィルタ等のエッジ強調フィルタを用いてエッジ抽出処理を行うこともできる。
【００６１】
【数３】
2019213107.tif 000005
【００６２】
エッジ抽出処理を行った後の画像は、図７に示すとおりである。
【００６３】
エッジ抽出処理を行った段階においては、本来必要な位相変調点以外に随所で細かなエッジが抽出される。また、潜像以外の画像に含まれていた画線が残存し、潜像の視認性の妨げになることが考えられる。特に、エッジ抽出処理を行う前にｘ次元平滑化処理を行ったことで、ｙ方向に沿ってエッジが形成されている。
【００６４】
そこで、上記２）の処理要件を満たすフィルタ空間処理として、以下の数式（４）で表されるｙ次元平滑化処理を行うことで、不要なノイズを除去する必要がある。
【００６５】
【数４】
2019213107.tif 000006
（４）                    
【００６６】
ここで、重みの算出は、上記数式（１）で表されるｘ次元平滑化処理と同様にガウシアン関数を用い、カーネル幅（ｙ方向の一次元）と重みの標準偏差σとを調整要素とする。
【００６７】
ｙ次元平滑化処理を行った後の画像は、図８に示すとおりである。
【００６８】
ｙ次元平滑化処理を行った後の画像信号を、画像表示部４０に出力してモニタ画面上に表示しようとしても、所望の画面の明るさやコントラストが得られないことが多い。
【００６９】
そこで、モニタの特性を考慮して、明度補正として例えば以下の数式（５）で示されるようなガンマ補正を行うことが望ましい。
【００７０】
【数５】
2019213107.tif 000007
【００７１】
ここで、γの値は任意とする。
【００７２】
明度補正（ガンマ補正）を行った後の画像は、図９に示すとおりである。
【００７３】
また、画像を肉眼で観察すると、処理を行う前では図１０（ａ）に示されるように視認され、一連の処理により潜像を抽出した画像は、図１０（ｂ）に示されるように、潜像を明確に読み取ることができる。
【００７４】
本実施の形態による印刷物の読取検査用ソフトウェアは、本実施の形態による印刷物の読取検査方法を、本実施の形態による印刷物の読取検査装置に実行させるものであり、例えば印刷物の読取検査装置として動作するコンピュータに本実施の形態による印刷物の読取検査方法を実行させるものであってもよい。
【００７５】
本実施の形態によれば、撮影された潜像を簡易な操作により容易に読み取ることができるので、対面又は非対面を問わず、簡易で信頼性の高い本人確認が可能である。
【００７６】
以上、本発明の実施の形態について説明したが、この実施の形態は例として提示したものであり、発明の技術的範囲を限定することは意図していない。この新規な実施の形態は、その他の様々な形態で実施されることが可能であり、発明の要旨を逸脱しない範囲で、種々の省略、置き換え、変更を行うことができる。この実施の形態やその変形は、発明の技術的範囲や要旨に含まれるとともに、特許請求の範囲に記載された発明とその均等の範囲に含まれる。
【００７７】
上述した実施の形態では、位相変調型の潜像を読み取る場合を例にとって説明しており、位相変調点を抽出することで読取りを行っている。しかし、上述した実施の形態で読み取ることが可能な潜像は、位相変調型には限られず、潜像を構成する画線又は網点の変化点（エッジ）を抽出することにより読み取ることができるものに対して、幅広く適用が可能である。
【００７８】
例えば、上述した特許文献２に記載された、直線又は曲線状の１本又は複数の直線又は曲線から成る画線模様を、潜像以外の画像として例えば顕像を施した部分の画線は実線で、潜像を施した部分の画線は基本線方向を基準として等距離により複数に分岐し、複数に分岐した画線がそれぞれ一定の間隔で配列された形状の画線から成る定周期断絶線で構成した印刷物において、潜像を施した部分の画線は基本線方向に複数に分岐した画線部と非画線部から成る一周期に相当する部分の画線面積の総和が、顕像を施した部分の実線のうち、潜像部における画線部と非画線部から成る一周期と同一の長さに相当する部分の画線面積と等しくすることにより、複写すると非視認性となり、複写前に視認される画像を構成する画線は、潜像部における画線部と非画線部から成る一周期と同一の長さに相当する部分の画線面積より大きくするという潜像に対しても、画線の輪郭を強調することで変化点（エッジ）を抽出し読み取ることが可能である。
【００７９】
同様に、上述した特許文献３に記載された、曲画線の集合模様を、一本線の画線で潜像以外の画像として例えば顕像を描く部分と、少なくとも二本線の画線で潜像を描く部分とで表現し、潜像を描く画線は画線幅の合計値が顕像を描く一本線の画線幅と同一であり、かつ、この一本線から潜像を描く画線が分岐する構成を備え、複写した場合に潜像を描く画線が消滅することで不正な複写を防止するという印刷物に対しても、画線の輪郭を強調することで変化点（エッジ）を抽出し読み取ることが可能である。
【００８０】
また、一方向に沿って配列され盛り上がりを有する複数の画線と、一方向と異なる他方向に沿って配列され盛り上がりを有する複数の画線により構成され、印刷物を傾けて観察することで視認される画線と、他の画線に隠れて視認されない画線とが生じることにより潜像が観察される印刷物に対しても、同様に画線の輪郭を強調することで変化点（エッジ）を抽出し読み取ることが可能である。
【００８１】
また、上述した実施の形態では、潜像を構成する画線の配列方向がｘ方向、ｙ方向のいずれであるか不明である場合を想定し、９０度回転した回転画像と非回転画像とに対して並行して画像処理を行っている。しかしながら、必ずしも２種類の画像に対して処理を行う必要はなく、特に画線の配列方向があらかじめ定められている場合は１種類の画像に対してのみ処理を行ってよい。
【符号の説明】
【００８２】
１０  画像撮影部
２０  画像処理部
３０  データ格納部
４０  画像表示部
【図１】
2019213107.tif 000008
【図２】
2019213107.tif 000009
【図３】
2019213107.tif 000010
【図４】
2019213107.tif 000011
【図５】
2019213107.tif 000012
【図６】
2019213107.tif 000013
【図７】
2019213107.tif 000014
【図８】
2019213107.tif 000015
【図９】
2019213107.tif 000016
【図１０】
2019213107.tif 000017